【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
ｐＨが調整された電解質水溶液を調製する装置であって、
ｐＨが調整された電解質水溶液を調製するように構成されるｐＨ調整器と、
前記ｐＨ調整器と液体接続し、さらに、前記ｐＨが調整された電解質水溶液を分注するように構成される第２のユニットと、
を含み、前記ｐＨ調整器が、
陽極及び陰極を含む電解槽であり、
前記陰極が擬似キャパシタンスの材料を含み、前記ｐＨ調整器の作動中に、前記擬似キャパシタンスの材料は、前記陽極から電子を得て、さらに、前記電解質水溶液から陽イオンを、前記陽イオンと電気化学的に反応することによって吸着し、前記電解質水溶液中のＯＨ−は電子を失うことによって消費され、前記電解質水溶液中にＨ＋を残すか、又は、
前記陽極が擬似キャパシタンスの材料を含み、さらに、前記ｐＨ調整器の作動中に、前記擬似キャパシタンスの材料は、電子を失い、さらに、前記電解質水溶液から陰イオンを、前記陰イオンと電気化学的に反応することによって吸着し、前記電解質水溶液中のＨ＋は電子を得ることによって前記陰極にて消費され、前記電解質水溶液中にＯＨ−を残す、電解槽と、
前記電解槽における電気分解プロセスを制御するように構成される制御装置と、
を含む、装置。
【請求項２】
前記第２のユニットは、液体状態若しくは蒸気状態又はその組合せの前記ｐＨが調整された電解質水溶液を分注するように構成され、
当該装置は、前記電解質水溶液の温度を調整するように構成される温度調整器をさらに含み、さらに、
乳児用たらい、シャワー、アトマイザー又はサニタリーフィッティングのうちいずれか１つを含む、請求項１に記載の装置。
【請求項３】
前記電解質水溶液が伝導性である、請求項１に記載の装置。
【請求項４】
前記陽極及び前記陰極を交換することができるように前記電解槽が構成される、請求項１に記載の装置。
【請求項５】
前記ｐＨ調整器は、前記電解質水溶液のｐＨ値に関する情報を得るように構成される第１のユニットをさらに含み、
前記制御装置は、前記電解質水溶液のｐＨ値を目標値まで調整するように、得られた前記情報に従って前記電気分解プロセスを制御するように構成される、請求項１に記載の装置。
【請求項６】
前記得られた情報は、前記電解質水溶液の最初のｐＨ値を示すユーザ入力を含む、請求項４に記載の装置。
【請求項７】
前記擬似キャパシタンスの材料は遷移金属酸化物を含む、請求項１に記載の装置。
【請求項８】
前記遷移金属酸化物は、基板上に被覆されるか又は前記基板内にドープされる、請求項１に記載の装置。
【請求項９】
前記遷移金属酸化物は、以下の反応、
ＴＭＯ＋Ａ＋＋ｅ−⇔ＴＭＯ−Ａ＋
を果たし、式中、ＴＭＯは前記遷移金属酸化物を意味し、Ａ＋は吸着される前記陽イオンを意味し、ｅ−は電子を意味する、請求項８に記載の装置。
【請求項１０】
前記擬似キャパシタンスの材料は共役系導電性高分子を含む、請求項１に記載の装置。
【請求項１１】
前記共役系導電性高分子は、炭素ドープされたポリピロールを含み、さらに、前記炭素ドープされたポリピロールは、前記陰極又は前記陽極の多孔性のＴｉ基板上に堆積される、請求項１０に記載の装置。
【手続補正２】
【補正対象書類名】明細書
【補正対象項目名】０００８
【補正方法】変更
【補正の内容】
【０００８】
本発明によると、ｐＨが調整された電解質水溶液を分注するように構成される第２のユニットを含む、請求項１に記載の装置が提供され、さらに、電解質水溶液のｐＨ値を調整するように構成されるｐＨ調整器が記載され、ｐＨ調整器は、陽極及び陰極を含む電解槽を含み：陰極が、擬似キャパシタンスの材料を含み、ｐＨ調整器の作動中に、擬似キャパシタンスの材料は、陽極から電子を得て、さらに、電解質水溶液から陽イオンを、上記陽イオンと電気化学的に反応することによって吸着し、電解質水溶液中のＯＨ−は、電子を失うことによって消費され、電解質水溶液中にＨ＋を残すか；又は、陽極が、擬似キャパシタンスの材料を含み、さらに、ｐＨ調整器の作動中に、擬似キャパシタンスの材料は、電子を失い、さらに、電解質水溶液から陰イオンを、上記陰イオンと電気化学的に反応することによって吸着し、電解質水溶液中のＨ＋は、電子を得ることによって陰極にて消費され、電解質水溶液中にＯＨ−を残す。
【手続補正３】
【補正対象書類名】明細書
【補正対象項目名】００２７
【補正方法】変更
【補正の内容】
【００２７】
一部の実施形態において、第２のユニットは、ノズル、及び、ｐＨが調整された水を提供するｐＨ調整器にノズルを接続するチューブを含み得る。
【手続補正４】
【補正対象書類名】明細書
【補正対象項目名】００３１
【補正方法】変更
【補正の内容】
【００３１】
本願の一実施形態において、水のｐＨ値を調整する方法がさらに提供される。当該方法は、以下のステップ：
第１の電極及び第２の電極を有する電解槽を提供するステップであり、第１の電極は、擬似キャパシタンスの材料を含む、ステップ；
陰極として第１の電極、及び、陽極として第２の電極を使用することによって水を電気分解するステップであり、擬似キャパシタンスは、陽極から電子を得て、さらに、水から陽イオンを吸着し、水中のＯＨ−は、電子を失うことによって消費される、ステップ；又は
陰極として第２の電極、及び、陽極として第１の電極を使用することによって電解質水溶液を電気分解するステップであり、擬似キャパシタンスの材料は、電子を失って、さらに、電解質水溶液から陰イオンを吸着し、電解質水溶液中のＨ＋は、電子を得ることによって消費される、ステップ；
を含む。
【手続補正５】
【補正対象書類名】明細書
【補正対象項目名】００３３
【補正方法】変更
【補正の内容】
【００３３】
一実施形態によると、当該方法は、第１の電極が第２の電極と交換される交換ステップ；並びに、陽極として第１の電極、及び、陰極として第１の電極を使用することによって水を電気分解するステップであり、遷移金属酸化物は、電子を失って、さらに、陽イオンを水中に放出し、水中のＨ＋は、電子を得ることによって消費される、ステップ；をさらに含む。
【手続補正６】
【補正対象書類名】明細書
【補正対象項目名】００３４
【補正方法】変更
【補正の内容】
【００３４】
一実施形態によると、ｐＨ調整器は、ｐＨ値を調整するように構成される。ｐＨ調整器は、陽極及び陰極を含む電解槽であって、上記陽極は、擬似キャパシタンスの材料を含み、擬似キャパシタンスの材料は少なくとも部分的に帯電され、さらに、擬似キャパシタンスの材料には、さらなる陽イオンが提供され、ｐＨ調整器の作動中に、擬似キャパシタンスの材料は、電子を失って、さらに、上記さらなる陽イオンの少なくとも一部を電解質水溶液内に放出し、電解質水溶液中のＨ＋は、電子を得ることによって消費される、電解槽と、電解槽において電気分解プロセスを制御するように構成される制御装置とを含んでもよい。
【手続補正７】
【補正対象書類名】明細書
【補正対象項目名】００３６
【補正方法】変更
【補正の内容】
【００３６】
一実施形態によると、ｐＨ調整器は、陽極を陰極と交換することができ、従って、交換された陰極は、擬似キャパシタンスの材料を含み、ｐＨ調整器の作動中、交換された陰極内の擬似キャパシタンスの材料は、電子を得て、さらに、上記陽イオンを水から吸着し、さらに、水中のＯＨ−は、電子を失うことによって消費される。
【手続補正８】
【補正対象書類名】明細書
【補正対象項目名】００３９
【補正方法】変更
【補正の内容】
【００３９】
【図１】皮膚のｐＨに対する手のひら側の前腕の種々の単一処理の効果を例示した図である。
【図２】ｐＨ調整器１を例示した図である。
【図３】ｐＨ調整器３を例示した図である。
【図４】第１のユニットを例示した図である。
【図５】本発明の一実施形態によるｐＨが調整された水を調製する装置５を例示した図である。
【図６】ＧｍＰＰｙ電極を生成するための例となる実験装置を例示した図である。
【図７】ＧｍＰＰｙ電極の微細構造を概略的に例示した図である。
【図８Ａ】ＧｍＰＰｙ電極の電気化学的特性を例示した図である。
【図８Ｂ】ＧｍＰＰｙ電極の電気化学的特性を例示した図である。
【図９Ａ】ＧｍＰＰｙ電極を陽極として有するｐＨ調整器９を例示した図である。
【図９Ｂ】ＧｍＰＰｙ電極を陰極として有するｐＨ調整器９を例示した図である。
【図１０Ａ】ｐＨ調整器９の能力を例示した図である。
【図１０Ｂ】ｐＨ調整器９の能力を例示した図である。
【手続補正９】
【補正対象書類名】明細書
【補正対象項目名】００４０
【補正方法】変更
【補正の内容】
【００４０】
文脈を読むことによって正しく理解されるように、ｐＨ調整器、ｐＨが調整された水を調製する装置、及び、ｐＨ調整のための方法は、一方向性ｐＨ調整が必要とされるほとんどの用途に対して有用であり得る。種々の用途の中で、以下において第一に記載される乳児の皮膚のバリア機能回復が典型的には適している。
【手続補正１０】
【補正対象書類名】明細書
【補正対象項目名】００４８
【補正方法】変更
【補正の内容】
【００４８】
以下、本願の実施形態によるｐＨ調整器が参照される。一般性を失うことなく、乳児の皮膚のケアに対する水道水に基づく酸性水の調製が主要な例として挙げられている。記載される構造、ワークフローは、依然として付随の特許請求の範囲にあるわずかな変更を有さず又は有して他の用途において適用することができるということが当業者によって正しく理解されるべきである。しかし、水道水は、本発明に従って処理することができる唯一の対象事項のタイプというわけではない。超低の導電率（ＥＣ）を有する水に対する実験によると、約３０ｕｓ／ｃｍのみのＥＣを有する（例えばＩｃｅ  Ｄｅｗ等の）蒸留飲料水のｐＨは、電気分解を介してｐＨ調整器によって調整することができる。これらの低ＥＣの状況において、電流は小さいけれども、低い炭酸硬度が、この点を補うことができる。特に、低い導電率の水に対して、ｐＨの範囲は限定される。理論上は、ＥＣ＝約３０ｕｓ／ｃｍを有する水に対して、達成することができる最も低いｐＨは約５．５である。その効率は、水中の低いイオン濃度によって影響されることになる。しかし、極端に低い炭酸硬度は、ｐＨ変更の実現に寄与することになる。相応の時間において、低いＥＣ水溶液のｐＨは、最も低い値には届かないかもしれないが変化する。
【手続補正１１】
【補正対象書類名】明細書
【補正対象項目名】００４９
【補正方法】変更
【補正の内容】
【００４９】
図２は、本願の一実施形態によるｐＨ調整器を例示しており、以下の利点のうちいずれか少なくとも１つを提供することを目標としている：
１）ｐＨ値（以下、ｐＨとも呼ばれる）を、約３から約６等の目標値まで調整し、従って、例えば約４．５から約６等の生理学的レベルにて皮膚のｐＨを維持すること。効果的な洗浄も、残りの排泄物が皮膚上にとどまることを防ぐことによってｐＨバランスの維持に寄与する。
２）頻繁な乳児の皮膚の洗浄において皮膚バリアの回復の速度を上げること。
３）副産物として多くの廃水を有することなく、水のｐＨを調整すること。
【手続補正１２】
【補正対象書類名】明細書
【補正対象項目名】００５１
【補正方法】変更
【補正の内容】
【００５１】
一実施形態において、ｐＨ調整器２はチャンバ２４を含んでもよく、チャンバ２４内には、例えば注入口２６を介して給水２５が注入されるか又は注がれる。給水２５は、その後、電解槽２によって電気分解され、水２５のｐＨを下げる。ｐＨが調整された水は、使用されるため水の排出口２７を介してｐＨ調整器１から放出される。図２において例示されている注入口２６又は排出口２７の形状若しくは位置は排他的ではないとして理解されるべきであり、代わりとなるものが可能であるということが正しく理解されるべきである。
【手続補正１３】
【補正対象書類名】明細書
【補正対象項目名】００５５
【補正方法】変更
【補正の内容】
【００５５】
記載されるように、ＭｎＯ２ＡからＭｎＯ２までの酸化は、電解槽２の極性が逆にされた場合にのみ起こる。ここで、Ａ＋は水２５中の全ての種類の陽イオンを意味し、Ｈ＋、Ｎａ＋、Ｋ＋、又は、Ｃａ２＋、Ｍｇ２＋でさえもあり得る。これらのイオンがＭｎＯ２によって吸着される可能性は、給水中の最初の陽イオンの濃度によって決定される。式（３）によって示されているように、一方で、Ａ＋全てがＨ＋である場合、水（２５）のｐＨは変化しない。もう一方で、Ａ＋のいずれもＨ＋でない場合、最大のｐＨ変化が生じる。現実の状況は、通常、中間的であり、生成されるＨ＋の濃度は、以下の式
［Ｈ＋］＝［Ａ＋］（全陽イオン）−［Ａ＋］（他の陽イオン）  （４）
によって計算することができ、ここで［］は、濃度を意味する演算子である。
【手続補正１４】
【補正対象書類名】明細書
【補正対象項目名】００６５
【補正方法】変更
【補正の内容】
【００６５】
一実施形態において、ユーザ入力は装置の地理的位置も含むことができ、それは或いは、ｐＨ調整器又はｐＨ調整器と通信する装置がその中で位置決定機能を動作可能にする場合に決定することができる。さらに、地理的位置は、特に水道水に対する、最初のｐＨを含む水の特性にリンクすることができる場合があり、従って、水３の最初のｐＨは、ユーザ入力に基づき第１のユニット４によって推定／決定することができる。